(57)【特許請求の範囲】
【請求項１】
紙葉類の集積箇所又は施封箇所を設定する設定手段と、
複数券種の紙葉類が供給された供給部から１枚ずつ取り出す取出手段と、
この取出手段によって取り出された前記紙葉類を判別する紙葉類判別手段と、
この紙葉類判別手段による判別の結果に基づいて前記紙葉類を取り込む取込手段と、この取込手段によって取り込まれた前記紙葉類を一時的に集積する一時集積庫と、この一時集積庫の下部に配置され、前記一時集積庫に集積された紙葉類を収納する着脱可能なカセットと、前記一時集積庫に集積された枚数が所定枚数に到達したことを表示する集積庫表示手段と、を有する集積手段と、
前記紙葉類判別手段による判別の結果に基づいて前記紙葉類を施封する施封手段と、
前記紙葉類の搬送を制御する搬送制御手段と、
を備え、
前記設定手段は、
前記集積装置の一時集積庫に所定枚数集積された紙葉類を当該一時集積庫から取出しが可能なオープンポケット方式と、前記一時集積庫に所定枚数集積された紙葉類を、前記カセットに収納するカセット方式の何れかを前記集積手段ごとに選択的に設定する操作表示部を有し、
前記制御手段は、
前記集積手段が前記オープンカセット方式に設定され、前記一時集積庫に集積された紙葉類の枚数が所定枚数に到達したとき、前記集積庫表示手段による表示を行う第１の工程と、
前記取込手段を停止する第２の工程と、
この第２の工程の後、当該一時集積庫に集積する紙葉類が前記設定手段によってさらに設定されている場合に他の一時集積庫を当該紙葉類の集積先として設定する第３の工程と、
前記第２の工程の後、前記他の一時集積庫が設定できないとき前記取出手段を停止する第４の工程と、
前記一時集積庫に集積された前記所定枚数の紙葉類が操作員によって抜き取られたとき、前記集積庫表示手段を消灯し、前記取込手段を駆動し、かつ、継続して搬送される紙葉類を当該一時集積庫に集積する第５工程と、
を備えたことを特徴とする紙葉類処理装置。
【請求項２】
前記設定手段はさらに、
前記紙葉類の集積箇所として同一種類の紙葉類を複数の前記集積手段に設定し、また前記紙葉類の施封箇所として同一種類の紙葉類を複数の前記施封手段に設定するこができることを特徴とする請求項１記載の紙葉類処理装置。
【請求項３】
紙葉類の集積箇所又は施封箇所を設定する設定手段と、
複数券種の紙葉類が供給された供給部から１枚ずつ取り出す取出手段と、
この取出手段によって取り出された前記紙葉類を判別する紙葉類判別手段と、
この紙葉類判別手段による判別の結果に基づいて前記紙葉類を取り込む取込手段と、この取込手段によって取り込まれた前記紙葉類を一時的に集積する一時集積庫と、この一時集積庫の下部に配置され、前記一時集積庫に集積された紙葉類を収納する着脱可能なカセットと、前記一時集積庫に集積された枚数が所定枚数に到達したことを表示する集積庫表示手段と、前記カセットが満杯になったときを表示するカセット満杯表示手段と、を有する集積手段と、
前記紙葉類判別手段による判別の結果に基づいて前記紙葉類を施封する施封手段と、
前記紙葉類の搬送を制御する搬送制御手段と、
を備え、
前記設定手段は、
前記集積装置の一時集積庫に所定枚数集積された紙葉類を当該一時集積庫から取出しが可能なオープンポケット方式と、前記一時集積庫に所定枚数集積された紙葉類を、前記カセットに収納するカセット方式の何れかを前記集積手段ごとに選択的に設定する操作表示部を有し、
前記制御手段は、
前記集積手段が前記カセット方式に設定され、前記一時集積庫に集積された紙葉類の枚数が所定枚数に到達したとき、前記集積庫表示手段による表示を行う第１の工程と、
この第１の工程の後、前記設定手段によって、他の一時集積庫が設定されていない場合、前記取込手段を停止する第２の工程と、
この第２の工程の後、当該カセットの交換中又は当該カセットのカセット満杯表示手段が点灯していなければ、前記一時集積庫に集積された所定枚数の紙葉類を前記カセットに収納する第３の工程と、
前記第１の工程後、当該カセットの満杯表示手段が点灯しているとき、当該一時集積庫に集積する紙葉類が前記設定手段によってさらに設定されている場合に他の一時集積庫を当該紙葉類の集積先として設定する第４の工程と、
前記満杯表示手段が点灯している当該カセットが操作員によって交換されたとき、前記カセットの満杯表示手段を消灯し、前記一時集積庫に集積された紙葉類を当該交換後のカセットに収納し、前記集積庫表示を消灯する第５工程と、
を備えたことを特徴とする紙葉類処理装置。
【請求項４】
前記集積庫表示手段は、
前記カセットが満杯になる枚数から前記一時集積庫に集積する前記所定枚数を減算して得られた枚数に到達したときにも表示することを特徴とする請求項３記載の紙葉類処理装置。
【発明の詳細な説明】
【技術分野】
【０００１】
本発明は、有価証券などの紙葉類を処理する紙葉類処理装置に関し、特に紙葉類を集積する集積装置がオープンポケット処理又はカセット処理の何れにも使用できる紙葉類処理装置に関する。
【背景技術】
【０００２】
有価証券などの紙葉類を処理する紙葉類処理装置は、処理単位に応じて供給部に供給された紙葉類から取出装置によって紙葉類を１枚ずつ取り出して搬送し、紙葉類判別装置によって当該紙葉類を判別し、その判別結果に基づいて当該紙葉類が区分される。このようにして区分された紙葉類は、券種、正損又は排除券に区分後、それぞれ集積装置に集積される。
【０００３】
この集積装置の出力形態には、集積された後、自動的にカセットに集積するカセット処理方式と、１００枚ごとに帯を巻いた１００枚帯巻き把（以下、把と称する。）として施封装置から排出する方式がある。
【０００４】
また、この把の形成方法には、集積庫に１００枚集積されると（１００枚紙葉類）続けて当該集積庫に集積することを停止し、操作員にこの１００枚紙葉類をバラの状態で抜き取ってもらい、抜き取った１００枚紙葉類に操作員が帯を巻いて把を形成する１００枚帯び巻き方式と、このバラ紙葉類を再度装置に供給して帯び巻を行い装置によって把を形成する方法がある。なお、複数のポケットに計数した複数の紙葉類を区分して集積する方法が知られている（例えば、特許文献１参照。）。
【特許文献１】特開平２−７１８６号公報  （第２−３頁、第１図）
【発明の開示】
【発明が解決しようとする課題】
【０００５】
従来、紙葉類処理装置からの出力形態には、ＡＴＭ用金庫を兼ねる上記カセット方式と、上記１００枚帯び巻方式の２種類が用いられている。この１００枚帯巻き方式による把形成方式には、施封装置が必要となる。複数券種において帯巻き把を望む場合、一度カセットに収納し、入金業務を完了した後に整理業務の一環として施封装置による帯巻きを行う必要があり、操作が複雑であるという課題があった。
【０００６】
例えば、紙葉類が紙幣など有価証券で複数券種が混在している場合、これらの紙葉類を券種ごとに区分するが、施封装置が券種分準備されていない場合、又は小枚数の券種が複数混在する場合などは、操作員による１００枚帯び巻を積極的に利用する傾向にある。すなわち、券種によっては集積部に設けられたカセットに収納しない方が、操作性がよい場合がある。しかしながらこの場合、集積装置の一時集積庫に操作員が直接アクセスすることになり、計数上のトラブルも考えら、一時集積庫及びカセットを効率的に運用できないという課題があった。
【０００７】
本発明は、上記課題を解決するためになされたもので、当該集積装置の一時集積庫をオープンポケットとして必要なときにクセスできるようにし、また、その下段にカセットを設け、処理する紙葉類の種類・量により、当該オープンポケット又はカセットを当該券種に対応させて使用することにより、操作性を改善した紙葉類処理装置を提供することを目的とする。
【課題を解決するための手段】
【０００８】
上記目的を達成するために、本発明の請求項１記載の紙葉類処理装置は、紙葉類の集積箇所又は施封箇所を設定する設定手段と、複数券種の紙葉類が供給された供給部から１枚ずつ取り出す取出手段と、この取出手段によって取り出された前記紙葉類を判別する紙葉類判別手段と、この紙葉類判別手段による判別の結果に基づいて前記紙葉類を取り込む取込手段と、この取込手段によって取り込まれた前記紙葉類を一時的に集積する一時集積庫と、この一時集積庫の下部に配置され、前記一時集積庫に集積された紙葉類を収納する着脱可能なカセットと、前記一時集積庫に集積された枚数が所定枚数に到達したことを表示する集積庫表示手段と、を有する集積手段と、前記紙葉類判別手段による判別の結果に基づいて前記紙葉類を施封する施封手段と、前記紙葉類の搬送を制御する搬送制御手段と、を備え、前記設定手段は、前記集積装置の一時集積庫に所定枚数集積された紙葉類を当該一時集積庫から取出しが可能なオープンポケット方式と、前記一時集積庫に所定枚数集積された紙葉類を、前記カセットに収納するカセット方式の何れかを前記集積手段ごとに選択的に設定する操作表示部を有し、前記制御手段は、前記集積手段が前記オープンカセット方式に設定され、前記一時集積庫に集積された紙葉類の枚数が所定枚数に到達したとき、前記集積庫表示手段による表示を行う第１の工程と、前記取込手段を停止する第２の工程と、この第２の工程の後、当該一時集積庫に集積する紙葉類が前記設定手段によってさらに設定されている場合に他の一時集積庫を当該紙葉類の集積先として設定する第３の工程と、前記第２の工程の後、前記他の一時集積庫が設定できないとき前記取出手段を停止する第４の工程と、前記一時集積庫に集積された前記所定枚数の紙葉類が操作員によって抜き取られたとき、前記集積庫表示手段を消灯し、前記取込手段を駆動し、かつ、継続して搬送される紙葉類を当該一時集積庫に集積する第５工程と、を備えたことを特徴とする。
【０００９】
さらに、本発明の請求項３記載の紙葉類処理装置は、紙葉類の集積箇所又は施封箇所を設定する設定手段と、複数券種の紙葉類が供給された供給部から１枚ずつ取り出す取出手段と、この取出手段によって取り出された前記紙葉類を判別する紙葉類判別手段と、この紙葉類判別手段による判別の結果に基づいて前記紙葉類を取り込む取込手段と、この取込手段によって取り込まれた前記紙葉類を一時的に集積する一時集積庫と、この一時集積庫の下部に配置され、前記一時集積庫に集積された紙葉類を収納する着脱可能なカセットと、前記一時集積庫に集積された枚数が所定枚数に到達したことを表示する集積庫表示手段と、前記カセットが満杯になったときを表示するカセット満杯表示手段と、を有する集積手段と、前記紙葉類判別手段による判別の結果に基づいて前記紙葉類を施封する施封手段と、前記紙葉類の搬送を制御する搬送制御手段と、を備え、前記設定手段は、前記集積装置の一時集積庫に所定枚数集積された紙葉類を当該一時集積庫から取出しが可能なオープンポケット方式と、前記一時集積庫に所定枚数集積された紙葉類を、前記カセットに収納するカセット方式の何れかを前記集積手段ごとに選択的に設定する操作表示部を有し、前記制御手段は、前記集積手段が前記カセット方式に設定され、前記一時集積庫に集積された紙葉類の枚数が所定枚数に到達したとき、前記集積庫表示手段による表示を行う第１の工程と、この第１の工程の後、前記設定手段によって、他の一時集積庫が設定されていない場合、前記取込手段を停止する第２の工程と、この第２の工程の後、当該カセットの交換中又は当該カセットのカセット満杯表示手段が点灯していなければ、前記一時集積庫に集積された所定枚数の紙葉類を前記カセットに収納する第３の工程と、前記第１の工程後、当該カセットの満杯表示手段が点灯しているとき、当該一時集積庫に集積する紙葉類が前記設定手段によってさらに設定されている場合に他の一時集積庫を当該紙葉類の集積先として設定する第４の工程と、前記満杯表示手段が点灯している当該カセットが操作員によって交換されたとき、前記カセットの満杯表示手段を消灯し、前記一時集積庫に集積された紙葉類を当該交換後のカセットに収納し、前記集積庫表示を消灯する第５工程と、を備えたことを特徴とする。
【発明の効果】
【００１０】
本発明によれば、当該集積装置を複数のオープンポケット及び複数のカセットで構成し、処理する紙葉類の種類・量により、当該オープンポケット又はカセットを当該券種に対応されることにより、紙葉類処理装置の操作性を改善することができる。
【発明を実施するための最良の形態】
【００１１】
以下、図面を参照して本発明の実施例を説明する。
【実施例１】
【００１２】
図１は、本発明の実施例による紙葉類処理装置１００の概略構成図である。紙葉類処理装置１００は、本体部１及び操作部５５０で構成されており、本体部１は、インターフェース５０１を介して操作部５５０に接続されている。
【００１３】
操作部５５０に接続された操作表示部（設定手段）５５２から操作員の操作によって、入金業務、整理業務などの取引方法の設定、処理紙葉類の券種に対する集積箇所又は施封箇所の設定、及びオープンポケット方式又はカセット方式の設定が行われる。
【００１４】
オープンポケット方式とは、集積装置５７〜６２の一時集積庫５７ｂ〜６２ｂを紙葉類の最終集積箇所として券種を設定する方法である。本実施例では、この一時集積庫５７ｂ〜６２ｂに１００枚集積すると、他に集積する一時集積庫５７ｂ〜６２ｂが設定されていなければ羽根車５７ａ〜６２ａを停止し、それ以上の集積を行わない。従って、この一時集積庫５７ｂ〜６２ｂに集積された１００枚紙葉類は操作員によって取り出される。詳細は図２を参照しながら詳細に記述する。
【００１５】
カセット方式とは、集積装置５７〜６２の一時集積庫５７ｂ〜６２ｂに集積された紙葉類の最終集積箇所として当該一時集積庫５７ｂ〜６２ｂの下部に配置されたカセット５７ｅ〜６２ｅに収納する方法である。本実施例では、一時集積庫５７ｂ〜６２ｂに集積される紙葉類Ｐの枚数が３００枚（又は２００枚）に達した場合に、当該カセット５７ｅ〜６２ｅに収納する。このカセット５７ｅ〜６２ｅには２０００枚又は３００枚まで収納することが可能であり、操作員が上記操作表示部５５２から設定することができる。詳細は図３を参照しながら詳細に説明する。
【００１６】
また、紙葉類Ｐの正損レベル設定などを行うことができる。以上説明したように、ある券種を集積又は施封する場合には、オープンポケットに集積する方法と、オープンポケットとしても使用される一時集積装置の集積枚数が所定の枚数に達した場合には下段に設けられたカセットに収納する方法と、施封装置によって施封する方法を選択的に設定することができる。
【００１７】
以上、説明した上記設定のことをカセットアサインと称する。すなわち、カセットアサインとは、集積装置（集積手段）５７〜６２の一時集積庫５７ｂ〜６２ｂ及びカセット５７ｅ〜６２ｅに収納する券種、及び施封部４０で施封する券種を設定することである。
【００１８】
この設定の後、操作員が供給台１１に処理単位の紙葉類をセットする。操作部５５０の操作表示部５５２から本体部１による処理を開始すると、紙葉類Ｐは、取出ローラ（取出手段）５によって１枚ずつ搬送路（搬送手段）１６ａに取り出されて搬送される。
【００１９】
搬送された紙葉類Ｐは、紙葉類判別装置（紙葉類判別手段）１９によって当該紙葉類Ｐの券種判別、搬送方向判別、真偽判別及び正損判別が行われる。この判別結果に基づいて当該紙葉類Ｐは正券、損券又は排除券に区分され、集積又は施封される。
【００２０】
入金業務とは、予め合計金額のわかっている複数券種の紙葉類Ｐを、紙葉類処理装置１００を用いて、券種ごと、搬送方向ごと、正損ごとに区分し、紙葉類処理装置１００で計数した金額が正しいことを確認し、上位システム（図示しない）に登録する業務である。なお、この業務によって処理された紙葉類Ｐは、上述した集積装置５７〜６２に設けられたオープンポケット（一時集積庫）５７ｂ〜６２ｂに集積され、又はカセット５７ｅ〜６２ｅに収納され、又は施封部４０で１００枚ごとに施封され紙葉類把（以下、把と称する。）Ｈが形成される。
【００２１】
整理業務とは、入金業務において上位システム（図示しない）に計数を登録しない業務である。取引した券種を計数することが目的ではなく、一度入金業務などで計数を行った券種をさらに詳細に（例えば、表裏及び正損ごとに）集積装置（集積手段）５７〜６２の各カセット５７ｅ〜６２ｅに集積をし、又は施封部４０で施封して形成した把Ｈを放出する。
【００２２】
正損レベル設定とは、真券で再流通可能な正券と真券で再流通不可能な損券に区分する閾値である正損判別レベルを設定することである。本実施例では、この正損判別レベルの値が大きくなるほど損券枚数は多くなる。
【００２３】
ここで、紙葉類Ｐが搬送されるときの搬送方向について説明する。紙葉類Ｐは、表（Ｆａｃｅ：表を上にした状態）、裏（Ｂａｃｋ：裏を上にした状態）、正（Ｆｏｗａｒｄ：紙葉類の表もしくは裏の印刷が正立した状態）、逆（Ｒｅｖｅｒｓｅ：紙葉類の表もしくは裏の印刷が倒立した状態）の４種類あり、これらを組み合わせた表正ＦＦ、表逆ＦＲ、裏正ＢＦ、裏逆ＢＲからなる４種類の搬送方向が形成される。
【００２４】
本体部１は、紙葉類Ｐを供給する供給部１０、この供給部１０に供給された紙葉類Ｐを取出す取出ローラ５、この取出ローラ５によって取出された紙葉類Ｐを搬送する搬送路１６ａが備えられている。また、この搬送路１６ａによって搬送される紙葉類Ｐの搬送状態を検出し補正を行う整列ユニット６が配置されている。さらに、この整列ユニット６によって搬送補正された紙葉類Ｐを１枚ずつ判別する紙葉類判別装置１９が搬送路１６ａに沿って配置されている。
【００２５】
紙葉類判別装置１９による判別結果は主制御部５００に通知される。主制御部５００は、受信した判別結果に基づいて、後述する搬送制御部２６、施封制御部４００を制御する。
【００２６】
搬送制御部２６は、紙葉類Ｐの搬送を制御するもので、分岐ゲートＧ１、Ｇ２、・・・Ｇ８、及び搬送方向を揃えるために反転する表裏反転部９を制御する。
【００２７】
このようにして搬送方向の揃えられた紙葉類Ｐは、操作表示部５５２によって設定された区分方法に基づいてオープンポケットとしての一時集積庫５７ｂ〜６２ｂに集積され、又はカセット５７ｅ〜６２ｅに収納され、又は施封部（施封手段）４０で施封される。
【００２８】
分岐ゲートＧ１は、例えば、排除券と、処理券とに振り分けるゲートである。排除券とは、紙葉類判別装置１９で紙葉類Ｐを判別した結果、紙葉類Ｐが偽券、又は折れ、破れ及びスキューなどにより判別のできない「判別不能券」と判別された紙葉類をいう。この判別結果を搬送制御部が受信すると、分岐ゲートＧ１を右側（時計方向）に回動することにより、当該排除券を排除券集積部３０に集積する。
【００２９】
表裏反転部９は、紙葉類判別装置１９の券種判別及び搬送方向判別で判別された結果に基づき、紙葉類Ｐの搬送方向の表裏を取り揃えるために反転する。例えば搬送方向が裏正（ＢＦ）の場合、表裏反転部９によって表正ＦＦになる。
【００３０】
分岐ゲートＧ３は、搬送される紙葉類Ｐを搬送路１６ａから施封部４０側、又は集積部５０側に分岐する分岐ゲートである。搬送される紙葉類Ｐが主制御部５００によって施封するように指定された券種の場合、搬送制御部２６は、分岐ゲートＧ３を右側（時計方向）に回動し、紙葉類Ｐを施封部４０が設けられている方向に搬送する。また、それ以外の券種の紙葉類Ｐは、分岐ゲートＧ３から分岐ゲートＧ４〜Ｇ８を経由して集積装置５７〜６２に集積するように振り分けられる。
【００３１】
施封部４０及び集積部５０には、紙葉類Ｐが搬送される搬送路から分離するために搬送路の終端に紙葉類Ｐを集積する集積手段として羽根車集積装置が設けられている。
【００３２】
この羽根車集積装置は、例えば、集積装置５７の場合、羽根車（取込手段）５７ａ、一時集積庫（この一時集積庫はオープンポケットとしても使用される。）５７ｂ、シャッター５７ｃ、カセット５７ｅ、及び集積を補佐するプッシャ（図示しない）などで構成される。
【００３３】
羽根車５７ａは、複数の羽根が回転軸の周辺に組み込まれており、搬送されてきた紙葉類Ｐを羽根と羽根の間で受け取れるように紙葉類Ｐの搬送に同期して回転している。この羽根車を使用することによって、高速に搬送される紙葉類Ｐの運動エネルギーを吸収し、かつ紙葉類Ｐを整位しながら一時集積庫５７ｂに集積する。
【００３４】
一時集積庫５７ｂは、集積装置５７で使用される一時集積庫５７ｂと、施封部４０の一時集積庫４２ｂとでは以降で処理する目的が異なるために形態が異なっている。
【００３５】
集積装置５７で使用される一時集積庫５７ｂには、シャッター５７ｃが備えられており、このシャッター５７ｃの上に紙葉類Ｐが集積される。そして、このシャッター５７ｃに集積された紙葉類Ｐは、所定枚数に到達したとき、又は業務終了指示（図示しない）などがあると、シャッター５７ｃが開き、シャッター５７ｃ下部に設けられた収納庫としてのカセット５７ｅに設けられたバックアッププレート５７ｄの上に落下する。このバックアッププレート５７ｄは、紙葉類の投入口方向（シャッター５７ｃ側）に進退自在に移動可能な板状体で構成されていり。このバックアッププレート５７ｄに落下した紙葉類Ｐは、プッシャー（図示しない）によってカセット５７ｅに押し込まれる。
【００３６】
カセット５７ｅは、上記一時集積庫同様に、業務中にカセット５７ｅに収納された紙葉類満杯又は操作部５５０からの指示によって、集積装置５７にセットされているカセット５７ｅの交換業務に入ることができる。
【００３７】
このカセット５７ｅの交換業務を説明する。本体部１は、操作員による操作部５５０からの指示によりカセット５７ｅの第２のセキュリティ手段としての施・開錠手段を開錠する（ロックを解除する）ここでは、操作部５５０からの指示に基づいて電磁的方法によって開錠される。このロック解除とは、例えば集積装置５７のカセット５７ｅの場合、当該集積装置５７にカセット５７ｅを固定しているロックを解除することを意味する。
【００３８】
操作員は、ロック解除されたカセット５７ｅを集積装置５７から取外し、空のカセット５７ｅをセットする。この空のカセット５７ｅをセットすることによって、再度集積装置５７にカセット５７ｅがロックされる。
【００３９】
紙葉類Ｐの入っているカセット５７ｅに押し込まれる紙葉類Ｐの枚数が増えるとバックアッププレート５７ｄは下側に移動する。以上の動作は、集積装置５７〜６２で共通である。
【００４０】
施封部４０は、第１集積部４２、第２集積部４３、搬送部、紙帯部４６、帯送り部４７、帯巻部４８で構成される。本実施例では、施封部４０が、上記第１集積部４２、第２集積部４３を有している場合を説明するが、必要に応じてこれら２個の集積部を対にして複数セット用いてもよい。
【００４１】
第１集積部４２及び第２集積部４３は、共に同様に構成されているため、第１集積部４２についてその構成を説明し第２集積部４３の説明を省略する。
【００４２】
第１集積部４２には、施封搬送路４０ａから紙葉類を分岐する分岐ゲートＧ１２、振り分けられた紙葉類Ｐを搬送する搬送路４０ｂ、搬送路４０ｂの終端から送り出された紙葉類を受け取る羽根車４２ａ、この羽根車４２ａによって受け取られた紙葉類Ｐを集積する一時集積庫４２ｂ、集積された紙葉類Ｐを押圧するプッシャー（図示しない）が設けられている。以下、施封部４０の各部構成について説明する。
【００４３】
一時集積庫４２ｂは、搬送される紙葉類Ｐを計数し指定した枚数（例えば、１００枚）に達すると、続けて搬送される紙葉類Ｐを一時集積庫４３ｂに集積させるために切り替えゲートＧ１２及びＧ１３を切り替える。その後、この一時集積庫４２ｂに集積された紙葉類Ｐの施封を行う。以下この施封動作を説明する。
【００４４】
一時集積庫４２ｂに集積された１００枚紙葉類は、搬送キャリア４４に渡される。搬送キャリア４４は、図示矢印で示す縦搬送及び横搬送され、帯巻部４８に１００枚紙葉類を渡す。
【００４５】
この搬送キャリア４４から渡された１００枚紙葉類は、紙帯部４６から供給された紙帯が帯送り部４７で送られ帯巻部４８に達すると、帯巻部４８はこの紙帯を用いて上記１００枚紙葉類の所定部位を帯び巻きする。このようにして帯び巻された１００枚紙葉類からなる把Ｈが形成される。
【００４６】
帯巻部４８で形成された把Ｈは、放出される。カセット６３ｄに収納される。このカセット６３ｄに収納される方法は、集積装置５７のカセット６３ｄに紙葉類Ｐを集積する方法と同様、シャッター６３ｃ及び紙葉類取出口１２２ｂの扉が開き、把Ｈをカセット６３ｄに入れ、その上から押込み棒で中に押込む。このようにして把Ｈが形成される。
【００４７】
上記紙葉類処理装置１には、積載された紙葉類Ｐを一括して供給する供給部１０が設けられている。この供給部１０に積載された紙葉類Ｐは、取出ローラ１０Ａによって一定間隔で１枚ずつ取り出され、搬送路（搬送手段）２０に供給される。この取出ローラ１０Ａは、１回転する毎に紙葉類Ｐを１枚取り出す。この搬送路２０は、搬送ローラ（図示しない）と搬送ベルト（図示しない）で構成され、紙葉類Ｐを搬送方向上流から下流に向かって搬送する。
【００４８】
さらに、この取出ローラ１０Ａの取出回転を検知する取出ローラ検知センサ（取出ローラ検知手段）ＳＣ１０が設けられている。従って、取出ローラ検知センサＳＣ１０は、取出ローラ１０Ａが１回転する毎に１回暗になるセンサである。
【００４９】
このようにして、取出ローラ１０Ａによって供給部１０から供給された紙葉類Ｐは紙葉類判別装置５０によって判別される。紙葉類判別装置５０は、紙葉類Ｐの物理的特性を検知して判別するもので複数の紙葉類判別装置５２Ａ〜５６で構成されており、搬送方向下流に向かって搬送路２０に設けられている。また、これら紙葉類判別装置５２Ａ〜５６の判別結果に基づいて正券と判別された紙葉類Ｐを集積する紙葉類集積装置３０〜３３、損券と判別された紙葉類Ｐを裁断する紙葉類裁断装置６０、偽券又は排除券を集積する排除券集積装置４０が設けられている。
【００５０】
図２は、オープンポケット処理を説明するフローチャートである。以下の処理は、制御手段としての搬送制御部（搬送制御手段）２６によって制御される。操作員が処理紙葉類Ｐを供給台１１に供給し、操作部５５０から「ＳＴＡＲＴ」スイッチ（図示しない）を押下すると、紙葉類Ｐは取出ローラ５によって搬送路１６ａに１枚ずつ取り出される。取り出された紙葉類Ｐは紙葉類判別装置１９によって計数及び判別が行われ（Ｓ２）、上記紙葉類判別装置１９による判別結果に基づいて、当該紙葉類Ｐは集積装置５７〜６２又はオープンポケットとしての一時集積庫５７ｂ〜６２ｂに集積される。図２は、計数及び判別された紙葉類Ｐをこのオープンポケットに集積する場合の処理を示している。
【００５１】
このオープンポケット方式では、例えば一時集積庫５７ｂに当該紙葉類Ｐが所定枚数（例えば、１００枚）になるまで集積され１００枚紙葉類が形成されている（Ｓ３）。集積された紙葉類Ｐが所定枚数に到達すると、一時集積庫５７ｂに設けられた集積庫表示手段としての集積庫表示ＬＥＤ（Light Emitting Diode：発光ダイオード）が点灯する（Ｓ４、第１の工程）。この点灯は、一時集積庫５７ｂが所定の枚数（１００枚紙葉類）に到達したことを操作員に通知するものである。
【００５２】
次に、当該一時集積庫５７ｂの取込手段としての羽根車５７ａを停止する（第２の工程）。
【００５３】
さらに当該一時集積庫５７ｂに集積する紙葉類Ｐの搬送があり、操作表示部（設定手段）から当該紙葉類を集積する一時集積庫として他の一時集積庫が設定されている場合、他の一時集積庫の使用が可能であれば、集積先を他の一時集積庫に変更（シフト）することが可能であり（Ｓ５のＹ）、集積先をシフトする（Ｓ６、第３の工程）。
【００５４】
一方、さらなる集積紙葉類Ｐがある場合には、取出ローラによる取出しを停止し（Ｓ７、第４の工程）、操作員の処理を待つ（Ｓ２）。
【００５５】
操作員が一時集積庫５７ｂの集積庫表示ＬＥＤの点灯を確認し、一時集積庫５７ｂに集積された１００枚紙葉類を抜き取ると（Ｓ８）、当該抜き取られた一時集積庫５７ｂの集積庫表示ＬＥＤが消灯する（Ｓ９）。
【００５６】
このとき、例えば、シフトする一時集積庫がないために、取出が停止されている場合は（Ｓ１０）、取込を再開する（Ｓ１１）。この取込開始は、処理する紙葉類Ｐが供給台１１にある場合には自動的に開始される（第５の工程）。
【００５７】
以上の処理の結果、取込み紙葉類Ｐがなくなった場合（Ｓ１２）、正常に停止中であれば（Ｓ１３）、処理紙葉類Ｐを再供給して「ＲＥＳＴＡＲＴ」スイッチを押下する（Ｓ１４）。以下、上述同様に供給された紙葉類Ｐが処理される。
【００５８】
正常停止中（Ｓ１３）において、一時集積庫５７ｂに紙葉類Ｐが集積されている場合には、当該紙葉類を抜き取り（Ｓ１４）、集積先のＬＥＤを消灯する。
【００５９】
ステップＳ２において、「ＳＴＯＰ」スイッチが押下された場合（Ｓ１７）、又は取込停止のタイムアウトが発生した場合（Ｓ１８）にも、上記取込紙葉類Ｐがなくなった場合（Ｓ１２）同様の終了処理が行われる。
【００６０】
一方、ジャムが発生した場合（Ｓ１９）、搬送制御部は搬送を停止し（Ｓ２０）、ジャム中（Ｓ２１）にする。この際、一時集積庫５７ｂに残留紙葉類が発生した場合（Ｓ２２）、一時集積庫５７ｂのＬＥＤを点滅する（Ｓ２３）。
【００６１】
操作員がこのＬＥＤの点滅により、紙葉類Ｐが一時集積庫５７ｂに残留していることを知り、当該紙葉類Ｐを抜き取る（Ｓ２３）。この残留紙葉類Ｐの抜き取りによって、当該一時集積庫５７ｂのＬＥＤが消灯する（Ｓ２４）。
【００６２】
当該一時集積庫５７ｂから抜き取った紙葉類Ｐを供給部に再供給する（Ｓ２６）。
【００６３】
一方、このジャムが発生したとき、一時集積庫５７ｂのＬＥＤが点灯している場合は、当該一時集積庫５７ｂに集積された紙葉類Ｐは、１００枚紙葉類となっているので、当該１００枚紙葉類を抜き取る（Ｓ２７）。この抜き取りによって、一時集積庫５７ｂのＬＥＤは消灯する（Ｓ２８）。
【００６４】
操作員は、抜き取った１００枚紙葉類を処理済にセットする（Ｓ２９）。すなわち、一時集積庫５７ｂのＬＥＤが点灯している場合には、計数された紙葉類が１００枚になって集積されており、その後、ジャムが発生したからといって、再供給による再計数処理は必要ないため、このような処理を行う。
【００６５】
この一連の処理の結果ジャムが解除されれば（Ｓ３０〜Ｓ３２）、正常停止中処理（Ｓ１３）に移行して上述した終了処理を行う。以上、一時集積庫５７ｂを中心に説明したが他の一時集積庫５８ｂ〜６２ｂも同様である。
【００６６】
図３は、カセット処理を説明するフローチャートである。操作員が処理紙葉類Ｐを供給台１１に供給し、操作部５５０から「ＳＴＡＲＴ」スイッチを押下すると（Ｓ４０）、紙葉類Ｐは取出ローラ５によって搬送路１６ａに１枚ずつ取り出される。取り出された紙葉類Ｐは紙葉類判別装置１９によって計数及び判別が行われる（Ｓ４１）。上記紙葉類判別装置１９による判別結果に基づいて、当該紙葉類Ｐは集積装置５７〜６２又はオープンポケットとしての一時集積庫５７ｂ〜６２ｂに集積される。図３は、計数及び判別された紙葉類Ｐをこの集積装置５７〜６２に集積する場合の処理を示している。
【００６７】
このカセット方式では、羽根車５７ａによって一時集積庫５７ｂに集積された紙葉類Ｐが所定の枚数（例えば、３００枚）に達すると、一時集積庫５７ｂの集積庫表示手段としての集積庫表示ＬＥＤが点灯する（Ｓ４３、第１の工程）。
【００６８】
次に、シフトする一時集積庫が設定されていない場合（Ｓ４４のＮ）、継続して搬送される紙葉類Ｐを集積する一時集積手段が存在しないことになり、羽根車（取込手段）５７ａを停止する（Ｓ４４のＮ、第２工程）。
【００６９】
この第２工程後、当該カセット５７ｅの交換中（Ｓ４６）又は当該カセット５７ｅのカセット満杯表示手段としての満杯表示ＬＥＤが点灯していなければ（Ｓ４９のＮ）、当該一時集積庫５７ｂに集積された紙葉類Ｐをカセット５７ｅに収納する（Ｓ４７、第３の工程）。
【００７０】
この第３の工程後、カセット５７ｅが満杯になるまで紙葉類Ｐの集積は、継続される（Ｓ４９のＮ）。なお、この処理によってカセットが満杯になれば（Ｓ４９のＹ）、操作員によってカセットの交換が行われる（Ｓ５０）。その交換作業後（Ｓ４６のＮ）、一時集積庫５７ｂに集積された紙葉類Ｐがカセット５７ｅに収納される（Ｓ４６）。
【００７１】
なお、上記集積庫表示ＬＥＤは、当該カセット５７ｅが満杯になる枚数（例えば、３０００枚）から当該一時集積庫５７ｂに集積する枚数を減算して得られた枚数に到達したときにも表示する。例えばカセット５７ｅにはすでに２８００枚収納されている場合、当該一時集積庫に集積される枚数は２００枚（＝３０００枚−２８００枚）が限度であることから、この場合に限り、当該一時集積庫５７ｂに２００枚収納した時点当該集積庫表示ＬＥＤが点灯する。このときは、当然カセット５７ｅも満杯表示が行われる。
【００７２】
なお、上記カセットの満杯表示は、カセットに収納する枚数を上記操作表示部５５２から任意に設定することが可能である、本実施例では２０００枚又は３０００枚に設定することができる。
【００７３】
カセット５７ｅに紙葉類Ｐが収納され、一時集積庫５７ｂが空になれば、再取込が開始され、継続して当該一時集積庫に集積が開始される（Ｓ４８）。
【００７４】
もし、上記第１の工程後、カセット５７ｅが満杯になり満杯表示（満杯表示手段）が点灯しているが、当該一時集積庫に集積する紙葉類Ｐが操作表示部（設定手段）５５２によってさらにシフトする一時集積庫が設定されている場合には（Ｓ４４のＹ）、その設定されている一時集積庫（他の一時集積庫）を当該紙葉類Ｐの集積先として設定する（Ｓ５１、第４の工程）。
【００７５】
前記満杯表示手段が点灯している当該カセットが操作員によって交換されたとき、前記カセットの満杯表示手段を消灯し、前記一時集積庫に集積された紙葉類を当該交換後のカセットに収納し、前記集積庫表示を消灯する（第５工程）。
【００７６】
取込み紙葉類なし（Ｓ５１）、「ＳＴＯＰ」スイッチ押下（Ｓ５２）又は取り込み停止のタイムアウト（Ｓ５３）が発生した場合は、上記オープンポケットでの処理同様に正常停止中処理（搬送路及び集積庫に紙葉類がないことの確認）を経て（Ｓ５４）「ＲＥＳＴＡＲＴ」（Ｓ５５）スイッチが押下されることにより再処理が開始される。
【００７７】
次に、ジャムが発生した場合（Ｓ５６）、搬送を停止し（Ｓ５７）、ジャム発生中を表示する（Ｓ５８）。
【００７８】
操作員は、このジャム表示を確認して当該ジャム処理を開始する（Ｓ５９）。本実施例では、操作部５５０に設けられたジャム解除スイッチ（図示しない）押下ジすることによりジャム処理が開始される。このジャム処理の結果、ジャムが解除されると（Ｓ６０）、上記正常停止中処理の確認を経て、「ＲＥＳＴＡＲＴ」が押下されると再処理が開始される。
【００７９】
以上説明したように本発明の紙葉類処理装置は、当該集積装置の一時集積庫をオープンポケットとして必要なときにクセスできるようにし、また、その下段にカセットを設け、処理する紙葉類の種類・量により、当該オープンポケット又はカセットを当該券種に対応させて使用することにより、操作性を改善した紙葉類処理装置を提供することができる。
【図面の簡単な説明】
【００８０】
【図１】本発明の実施例による紙葉類処理装置１００の概略構成図。
【図２】オープンポケット処理を説明するフローチャート。
【図３】カセット処理を説明するフローチャート。
【符号の説明】
【００８１】
Ｐ  紙葉類
Ｇ１〜Ｇ８  分岐ゲート
１  本体部
５  取出ローラ
１０  供給部
１９  紙葉類判別装置
４０  施封部
４２、４３  施封装置
４８  帯巻部
５０  集積部
５７〜６２  集積装置
５７ａ〜６２ａ  羽根車集積装置
５７ｅ〜６２ｅ  カセット
１００  紙葉類処理装置
４００  施封制御部
５００  主制御部
５５０  操作部
５５２  操作表示部
【図１】
0005113495.tif 000002
【図２】
0005113495.tif 000003
【図３】
0005113495.tif 000004